(57)【特許請求の範囲】
【請求項１】
ＣＡＴＶシステムにおける上り通信で発生する流合雑音を検出する流合雑音検出システムであって、
前記ＣＡＴＶシステムは、センター装置と、前記センター装置から加入者側に向かって延伸させて配置された伝送路網とを有し、前記センター装置と前記加入者との間で双方向の音声データ通信である電話サービスを行い、
前記流合雑音検出システムは、
前記伝送路網の所定箇所に挿入され、上り通信の導通・切断を制御する複数のゲートスイッチと、
前記センター装置内に設けられ、前記伝送路網を介して前記ゲートスイッチを制御する制御装置と、
前記センター装置に入力される上り信号の周波数スペクトルを取得するスペクトラムアナライザと、
を有し、
前記制御装置によって各前記ゲートスイッチを順に、１ｍｓ以上２０ｍｓ以下の間オフにし、前記スペクトラムアナライザをこのオフの期間に同期して、上り信号の周波数スペクトルを測定することにより、流合雑音発生箇所の調査を行い、
あるゲートスイッチのオフから次のゲートスイッチのオフまでの時間は、パケット損失率が０．０５％以下となる時間である、
ことを特徴とする流合雑音検出システム。
【請求項２】
各前記ゲートスイッチは、前記センター装置に近い側から順にオフにして行く、ことを特徴とする請求項１に記載の流合雑音検出システム。
【発明の詳細な説明】
【技術分野】
【０００１】
本発明は、ＣＡＴＶシステムにおいて発生する流合雑音の検出を行う流合雑音検出システムに関する。
【背景技術】
【０００２】
ツリー状のネットワーク構造を有したＣＡＴＶシステムでは、上り通信時に流合雑音が発生することが問題となる。流合雑音は、加入者宅の家電製品や短波放送などからノイズが飛び込み、上流（加入者側からセンター装置側）へ向かうにつれてこのノイズが集まり重畳されることである。流合雑音が大きくなると上り通信の品質が劣化し、一定レベル以上になると上り通信が不可能となってしまう。
【０００３】
従来は、双方向幹線分岐増幅器や双方向幹線増幅器などに設けられたゲートスイッチを、センター装置に設けられたＳＴＭ（ステータスモニタ）制御装置からの指令により順にオフにしていき、上り信号の周波数スペクトルをスペクトラムアナライザによって目視などで確認することで、流合雑音の発生箇所を調査していた。
【先行技術文献】
【特許文献】
【０００４】
【特許文献１】特開２００６−５７０２
【発明の概要】
【発明が解決しようとする課題】
【０００５】
ＣＡＴＶシステムにおいて、ケーブルモデムを用いた電話サービスを提供している場合がある。電話サービスの上り通信はプロトコル上再送信を行わない。そのため、流合雑音の検出のためゲートスイッチをオフにすると、オフにしている間に送信された音声データは欠落して再生不能になってしまい、通信品質を著しく損なってしまう。その結果、従来電話サービスを運用しているＣＡＴＶシステムでは、流合雑音の調査をすることは不可能であった。
【０００６】
そこで本発明の目的は、ＣＡＴＶシステムにおいて電話サービスを提供中であっても、通話に影響を与えずに流合雑音を検出することができる流合雑音検出システムを提供することである。
【課題を解決するための手段】
【０００７】
第１の発明は、ＣＡＴＶシステムにおける上り通信で発生する流合雑音を検出する流合雑音検出システムであって、ＣＡＴＶシステムは、センター装置と、センター装置から加入者側に向かって延伸させて配置された伝送路網とを有し、センター装置と加入者との間で双方向の音声データ通信である電話サービスを行い、流合雑音検出システムは、伝送路網の所定箇所に挿入され、上り通信の導通・切断を制御する複数のゲートスイッチと、センター装置内に設けられ、伝送路網を介してゲートスイッチを制御する制御装置と、センター装置に入力される上り信号の周波数スペクトルを取得するスペクトラムアナライザと、を有し、制御装置によって各ゲートスイッチを順に、２０ｍｓ以下の間オフにし、スペクトラムアナライザをこのオフの期間に同期して、上り信号の周波数スペクトルを測定することにより、流合雑音発生箇所の調査を行い、あるゲートスイッチのオフから次のゲートスイッチのオフまでの時間は、パケット損失率が０．０５％以下となる時間である、ことを特徴とする流合雑音検出システムである。
【０００８】
伝送路網は、同軸ケーブル伝送路のみによって構成した伝送路網や、幹線を光ファイバー伝送路、支線を同軸ケーブル伝送路によって構成した伝送路網などである。
【０００９】
ゲートスイッチをオフにする時間は、人間の耳で判別できる音の長さ以下の間であれば任意であるが、６０ｍｓ以下であることが望ましく、２０ｍｓ以下であることがさらに望ましい。電話サービスへの影響をより低減することができるためである。オフにする時間は短ければ短いほどよいが、１ｍｓよりも短くすると、ゲートスイッチやスペクトラムアナライザとして高い応答性を有したものが必要となるため、コストが嵩み、望ましくない。また、あるゲートスイッチをオフにしてから次のゲートスイッチをオフにするまでの時間は任意であるが、パケット損失率が０．０５％以下となる範囲が望ましい。高品質な電話サービスを維持するためである。
【００１０】
【００１１】
【００１２】
【００１３】
【００１４】
第２の発明は、第１の発明において、各ゲートスイッチは、センター装置に近い側から順にオフにして行く、ことを特徴とする流合雑音検出システムである
【発明の効果】
【００１５】
本発明によると、電話サービスに大きな影響を及ぼさずに、ゲートスイッチを順にオンオフして行くことができ、流合雑音の発生箇所の検出を行うことができる。
【図面の簡単な説明】
【００１６】
【図１】実施例１のＣＡＴＶシステムの構成について示した図。
【発明を実施するための形態】
【００１７】
以下、本発明の具体的な実施例について図を参照に説明するが、本発明は実施例に限定されるものではない。
【実施例１】
【００１８】
図１は、実施例１のＣＡＴＶシステムの構成を示した図である。ＣＡＴＶシステムは、センター装置１０と、センター装置に接続する光ファイバー伝送路１１と、光ファイバー伝送路１１を介してセンター装置１０に接続する光ノード１２と、光ノード１２と複数の加入者宅１４とを接続するツリー状に分岐された同軸ケーブル伝送路１３と、によって構成されている。同軸ケーブル伝送路１３は、双方向幹線分岐増幅器１５や、タップオフ１６によってツリー状に分岐されている。また、同軸ケーブル伝送路１３には双方向幹線増幅器１７が挿入されている。
【００１９】
センター装置１０は、ＣＭＴＳ（ケーブルモデムターミネーションシステム）２０と、ＳＴＭ（ステータスモニタ）制御装置２１と、スペクトラムアナライザ２２と、光送受信機２３と、分配器２４と、を有している。光送受信機２３の電気信号入出力側は、分配器２４を介してＣＭＴＳ２０、ＳＴＭ制御装置２１、スペクトラムアナライザ２２にそれぞれ接続されている。また、光送受信機２３の光信号入出力側は光ファイバー伝送路１１に接続されている。また、ＣＭＴＳ２０は、ＩＰ電話網４０に接続されていて、スペクトラムアナライザ２２はＰＣ（図示しない）に接続されている。
【００２０】
双方向幹線分岐増幅器１５、双方向幹線増幅器１７、光ノード１２には、ゲートスイッチ１８が内蔵ないし外付けされている。ゲートスイッチ１８は、ＳＴＭ制御装置２１からの制御により、伝送路を伝送する上り信号を導通・遮断する。
【００２１】
加入者宅１４の宅内には、タップオフ１６から分岐した同軸ケーブル伝送路１３が引き込まれ、ＣＭ（ケーブルモデム）３０に接続されている。さらにＣＭ３２は電話機３１に接続されている。
【００２２】
このＣＡＴＶシステムでは、電話機３１とＣＭ３０との間で音声と音声データが相互に変換され、ＣＭＴＳ２０とＣＭ３０との間でリアルタイムで双方向の音声データ通信が行われ、センター装置１０のＣＭＴＳ２０がＩＰ電話網４０に接続されていることにより、電話サービスが運用される。なお、音声データ信号は、音声データにＤＯＣＳＩＳヘッダ、Ｅｔｈｅｒヘッダ、ＩＰヘッダ、ＵＤＰヘッダ、ＲＴＰヘッダが付加された２３２Ｂｙｔｅ長のパケットであり、２０ｍｓの間隔で送信されている。これらは規格によって定められたものである。
【００２３】
次に、実施例１のＣＡＴＶシステムにおいて、流合雑音を検出する動作について説明する。
【００２４】
ＳＴＭ制御装置２１から光ファイバー伝送路１１、同軸ケーブル伝送路１３を介して伝送される制御信号によって、各ゲートスイッチ１８は、順に一定時間オフにされる。そして、オフにしたタイミングに同期してスペクトラムアナライザ２２によってセンター装置１０に入力される信号の周波数スペクトルを測定することで、流合雑音の検出および発生箇所の特定を行うことができる。
【００２５】
このとき、上流側（センター装置１０側）に近い順にゲートスイッチ１８をオフにしていくとよい。効率的に流合雑音の発生箇所の特定を行うことができるためである。
【００２６】
ゲートスイッチ１８をオフにする時間は２０ｍｓである。ＣＭ３０から出力される上り音声データ信号が、２０ｍｓ間隔のパケットとして送信されているため、２０ｍｓのオフであれば多くても１つのパケットを喪失するだけで済む。１つのパケットの喪失で２０ｍｓの音声の中断が発生するが、これは人間の耳では判別できない。したがって、ゲートスイッチ１８のオフ時間を２０ｍｓとすることで通話に影響を与えることなく、流合雑音を検出して発生箇所の特定を行うことができる。
【００２７】
また、あるゲートスイッチ１８のオフから次のゲートスイッチ１８のオフまでの時間は、パケット損失率が０．０５％以下となるような範囲とするのがよい。たとえば４０ｓである。これにより通話品質を高く維持することができる。
【００２８】
また、スペクトラムアナライザによる信号の周波数スペクトル測定では、ＰＣモニタ等に波形を出力して目視で流合雑音を確認、および発生箇所の特定をしてもよいが、雑音レベルにしきい値を設定してソフトウェアにより自動的に流合雑音の検出、発生箇所の特定を行うようにしてもよい。
【００２９】
以上のように、実施例１の流合雑音検出システムによれば、電話サービスに影響を与えることなく、ゲートスイッチを順にオフにして流合雑音の検出、発生箇所の特定を行うことができる。
【００３０】
なお、実施例１では、ゲートスイッチ１８のオフ時間を２０ｍｓとしたが、これに限るものではなく、人間の耳で判別できる音の長さ以下の間であればよい。たとえば６０ｍｓ以下の間オフにしてもよい。特に２０ｍｓ以下であれば、上り音声データ通信の音声データパケットは２０ｍｓごとの送信であることから、失う音声データのパケットは多くても１つであり、通話品質を高く維持することができる。また、ゲートスイッチ１８のオフ時間は１ｍｓ以上であることが望ましい。１ｍｓよりも短くすると、ゲートスイッチやスペクトラムアナライザとして高い応答性を有したものが必要となるため、コストが嵩み、望ましくない。
【００３１】
また、実施例１のＣＡＴＶシステムでは、伝送路網として幹線を光ファイバー、支線を同軸ケーブルとするＨＦＣ方式を用いているが、同軸ケーブルのみで構成された伝送路網であってもよい。
【産業上の利用可能性】
【００３２】
本発明の流合雑音検出システムは、ＣＡＴＶシステムにおいて電話サービスを提供する際に有用である。
【符号の説明】
【００３３】
１０：センター装置
１１：光ファイバー伝送路
１２：光ノード
１３：同軸ケーブル伝送路
１５：双方向幹線分岐増幅器
１６：タップオフ
１７：双方向幹線増幅器
１８：ゲートスイッチ
２０：ＣＭＴＳ
２１：ＳＴＭ制御装置
２２：スペクトラムアナライザ
２３：光送受信機
３０：ＣＭ
３１：電話機
【図１】
0005906024.tif 000002